(57)【要約】  本発明は、再充電可能な蓄電池及びケース外壁（４）に面した接触子を有する懐中電灯（１）に関する。バッテリー充電器（２）との閉回路が、これらの接触子を通じて構成可能であり、このバッテリー充電器は、乗用車のコンセント又はトラックのコンセントに接続するためのアダプタープラグ、特にタバコ点火器の収容ソケット（８）を有する。本発明によれば、バッテリー充電器（２）は、深鍋形のケース（６）又は鞘形のケース（６）を有する。このケース（６）の内側部分の接触子（７）が、懐中電燈（１）のケース外壁（４）の接触子（３）に接触するように、この懐中電燈（１）が、このケース（６）内に差し込み可能である。
2009506745.tif 000002
【特許請求の範囲】
【請求項１】
再充電可能な蓄電池及びケース外壁（４）に面した接触子（３）を有する懐中電灯（１）にあって、バッテリー充電器（２）との閉回路が、これらの接触子を通じて構成可能であり、このバッテリー充電器は、乗用車のコンセント又はトラックのコンセントに接続するためのアダプタープラグ、特にタバコ点火器の収容ソケット（８）を有する懐中電燈（１）において、
バッテリー充電器（２）は、深鍋形のケース（６）又は鞘形のケース（６）であり、このケース（６）の内側部分の接触子（７）が、懐中電燈（１）のケース外壁（４）の接触子（３）に接触するように、この懐中電燈（１）が、このケース（６）内に差し込み可能であることを特徴とする懐中電燈（１）。
【請求項２】
懐中電燈のケース（４）は、ほぼシリンダ形であり、このケース（４）の一部だけが、差し込まれた位置でバッテリー充電器（２）の鞘形のケース（６）から突き出ることを特徴とする請求項１に記載の懐中電燈（１）。
【請求項３】
光源は、発光ダイオードであることを特徴とする請求項１又は２に記載の懐中電燈（１）。
【請求項４】
バッテリー充電器（２）の深鍋形のケース（６）又は鞘形のケース（６）は、外側にある接触子（５，５′）を有し、これらの接触子（５，５′）が、収容ソケット（８）の対応する接触収容部内に係合するように、この深鍋形のケース（６）又は鞘形のケース（６）は、これらの接触子（５，５′）によってタバコ点火器の収容ソケット（８）内に差し込み可能であることを特徴とする請求項１〜３のいずれか１項に記載の懐中電燈（１）。
【発明の詳細な説明】
【技術分野】
【０００１】
本発明は、再充電可能な蓄電池及びケース外壁に面した接触子を有する懐中電灯に関する。バッテリー充電器との閉回路が、これらの接触子を通じて構成可能である。このバッテリー充電器は、乗用車のコンセント又はトラックのコンセントに接続するためのアダプタープラグ、特にタバコ点火器の収容ソケットを有する。
【背景技術】
【０００２】
携行可能な懐中電燈が必要になることは、普通は稀にしか起こらないものの、非常の場合、すなわち例えば停電時の家の領域内で若しくは無灯火の道路上で玄関チャイム，家の番地等に光をあてるために又は事故時にエンジンルームを照らすため等に不可欠な補助手段を実現する。
白熱電球のかつての通常の使用は、バッテリー容量を比較的早く消費させる。その結果、場合によってはバッテリーの残りの容量が、十分に大きい電圧を生成するためにはもはや不十分である。
【０００３】
大幅な改良は、白熱電球が発光ダイオードに入れ替えられたことによって達成できた。発光ダイオードは、動作に対して遥かに僅かな電力しか必要としない。その結果、バッテリーセット当たりの総照明期間がこれに応じてより長い。
さらに発光ダイオードは、白熱電球に対して衝撃及び振動に対して比較的強い。その結果、発光ダイオードの寿命が、何倍も長くなった。また発光ダイオードは、白熱電球より小さい。その結果、より僅かな電力消費に関連して、ランプが明らかに小型化できた。その結果、小さい電燈は、１cm未満の直径を有する。この場合、電燈の長さは、５cm以下である。このような電燈は、キーホルダーとして携行できる。その結果、これらの電燈は、必要な時に手元にある。
【０００４】
懐中電燈の場合のその他の節約の可能性は、再充電可能な蓄電池を使用することによって得られる。確かにこれらの蓄電池は、購入では使い捨てのバッテリーより効果であるものの、何度も再充電可能である。
この再充電に対しては、従来の技術にしたがって公知の充電器が使用される。これらの充電器は、交流用ソケットに接続するために適していて、多数のバッテリー用の吸引ファンを有し、場合によってはいろいろな構造も有する。再充電するためには、バッテリーが、懐中電燈から取り出されて充電器内に差し込まれる必要がある。次いでこの充電器は、バッテリーが再び使用できる前に何時間も電源網に接続されたままである。
【０００５】
ドイツ連邦共和国特許第732 364号明細書中には、充電器が、組み込まれた蓄電池を有する懐中電燈と共に記されている。この蓄電池は、電源網接続するために適している。したがって、電燈ヘッド及びロッド状の懐中電燈の外に向かって敷設された充電接触子が、充電器のコップ状の収容部内に差し込み可能である。この充電器は、懐中電燈を所定の位置で固定できる。接触端子が、充電器の接触子と懐中電燈の接触子との間が接触接続される。
【０００６】
米国特許第3,749,905号明細書は、懐中電燈の蓄電池用の充電器を記す。この充電器は、導体接続部を有する。プラグが、この導体接続部の端部に設けられている。このプラグは、乗用車のタバコ点火器の収容ソケット内に差し込み可能である。充電器のケースが、接触収容部を有する。バッテリーを再充電する電気回路を閉じるため、これらの接触収容部は、懐中電燈の外側ケース面にあるこの懐中電燈に対応する接触子に接合可能である。充電器が乗用車内のコンソールに固定される必要があり、その結果この充電器が充電時間外でも視覚的に邪魔であることが、この充電器の欠点である。この代わりに、確かにこの充電器が、足元の空間内又は助手席の上に設置され得るものの、このような移動する箇所は、激しい制動又は速いカーブ走行時に増す事故の危険のために望ましくない。
【０００７】
ドイツ連邦共和国特許第36 36 968号明細書は、再充電可能な懐中電燈を記す。この懐中電燈は、蓄電池及び二重の充電回路を有する主要部分から構成される。この蓄電池は、一方の端部に交流用プラグ配置を有し、対向する端部に自動車のコンセントに合致するアダプタープラグ、特にタバコ点火器の端子を有する。さらにこの懐中電燈は、主要部分に連結可能であってアダプタープラグを覆う反射部品及び交流用プラグ配置を覆うプラグキャップを有する。この懐中電燈の場合、アダプタープラグのアクセスできる接触子を分離するため、交流用プラグ配置を通じて蓄電池に充電する時に有効な装置が、主要部分内に配置されている。この発明によれば、交流用プラグ配置を通じて蓄電池に充電する時にアダプタープラグを電源電圧から分離するため、タペットによって操作するスイッチが設けられなければならない。このスイッチは、アクセスできる接触子を覆うキャップつまり反射部品の取り外しの開始時に既に、このスイッチが開き、これによってこれらの接触子と電源電圧との間の電気接続が遮断されることを保証しなければならない。しかしながらこの配置には、容積が非常に大きくなるという欠点がある。
【特許文献１】ドイツ連邦共和国特許第732 364号明細書
【特許文献２】米国特許第3,749,905号明細書
【特許文献３】ドイツ連邦共和国特許第36 36 968号明細書
【発明の開示】
【発明が解決しようとする課題】
【０００８】
本発明の課題は、冒頭で述べた蓄電池を有する懐中電燈をより良好に操作可能な形及び大きさに改良することにある。
【課題を解決するための手段】
【０００９】
この課題は、バッテリー充電器が深鍋形のケース又は鞘形のケースであり、このケースの内側部分の接触子が懐中電燈のケース外壁の接触子に接触するように、この懐中電燈がこのケース内に差し込み可能であることによって解決される。特にこの懐中電燈のケースは、ほぼシリンダ形であり、このケースの一部だけが、差し込まれた位置でバッテリー充電器の鞘形のケースから突き出る。
【００１０】
上述した構造の利点は、特にバッテリー充電器がタバコ点火器内に永久に保持できる点にある。したがって、このバッテリー充電器は、その鞘形の構造に起因して邪魔でなく、ロッド形の懐中電燈がこの充電器内に差し込まれている時でも邪魔でない。充電器が、バッテリーの最大充電量に達した時に電力を遮断する限り、ロッド形の懐中電燈は、充電器内つまりタバコ点火器内に永久に保持できる。この懐中電燈は、好ましくはこの方式で常に手で掴むことができかつ常に充電されている。いわゆるメモリー効果を呈するＮｉＣｄ蓄電池又は類似の蓄電池を使用する場合、バッテリーを或る値まで定期的に強制放電する装置が場合によってはバッテリー充電器内にさらにもうけてもよい。これらの蓄電池の一部が、この値で放電されているものの、懐中電燈を動作させるために十分な大きさの残留電圧を依然として供給する。特に懐中電燈は、発光ダイオードを装備しなければならない。これによって、消費電力がさらに低減される。
【００１１】
運転中の喫煙が、邪魔でありかつ交通を危険に陥れると考えられるので、又は、人口の大部分が、非喫煙者と見なされるので、乗用車のタバコ点火器はもはや頻繁に利用されない。タバコ点火器は、多くの場合に乗用車内の簡単に手の届く場所に配置されている。その結果、例えば、乗用車から降りた後に暗い道路，ドアの玄関チャイム，エンジンルーム等に光を当てるため、タバコ点火器にある充電器内に設置された懐中電燈は、常にすぐに使用できるように準備できている。この懐中電燈は、使用後に充電器の鞘形の収容部内に再び差し込まれ得る。
【発明を実施するための最良の形態】
【００１２】
図で示された実施の形態が、本発明の懐中電燈を示す。
この実施の形態は、シリンダ状のケース４を有する懐中電燈１を示す。このケース４は、バッテリー充電器２の深鍋形のケース６内に差し込まれている。接触子３が、懐中電燈のケース４の外壁に配置されている。これらの接触子３は、懐中電燈１をバッテリー充電器２の深鍋形のケース３内に差し込んだ時に接触子７に接触する。これらの接触子７は、深鍋形のケース６の内面に配置されている。摩擦係合的な接合が、懐中電燈１の抜け出しを阻止するように、この深鍋形のケース６の内部空間が、懐中電燈１のハウジングシリンダ４の大きさ及び形に合わせられている。このため、深鍋形のケース６の横の接触子７を弾性的に形成する可能性がある。その結果、この接触子７は、懐中電燈を差し込んだ時にシリンダ状のケース４の凹部内に係入する。このとき、接触子３が、後に下がるようにこの凹部内に配置されている。
【００１３】
バッテリー充電器２の深鍋形のケース６は、車両のタバコ点火器の収容ソケット８（破線）内に同様に差し込まれている。この場合、バッテリー充電器２の外側にある接触子５，５′が、タバコ点火器の収容ソケット８の対応する凹部内に係入する。接触子５，５′は、中央ピン５をケース６の前面に有し、ケース６の側面に配置された弾性接触子５′を有する。収容ソケット８と深鍋形のケース６との間の摩擦係合的な接合及び弾性接触子５′の係入が、バッテリー充電器の抜け出しを阻止する。
【００１４】
バッテリー充電器２は、比較的小さいケース直径を有する懐中電燈１がタバコ点火器のより大きい直径の収容ソケット８内に差し込み可能であるアダプターの機能を請け負うだけではなくて、組み込まれた変圧器（図示せず）によって、タバコ点火器の収容ソケット８内で発生する電圧が蓄電池（図示せず）用の適切な充電電圧に変換されることも保証する。蓄電池が、その最大充電量に達した時に、バッテリー充電器２が自動的に切れる。その結果、バッテリー充電器２は、より長い期間にわたってタバコ点火器内に差し込まれなければならない懐中電燈１に害を与えない。懐中電燈１のシリンダ状のハウジング４が、深鍋形のケース６内に少なくとも半分まで又は−懐中電燈の大きさに応じて−半分を超えて差し込み可能であるので、懐中電燈１が抜け出る障害がない。必要な時に迅速に手に持つため、懐中電燈１の前方のケース部分は、この懐中電燈１を良好に掴むことができるように広くしてある。
【図面の簡単な説明】
【００１５】
【図１】本発明の懐中電燈を示す。
【符号の説明】
【００１６】
１  懐中電灯
２  バッテリー充電器
３  接触子
４  懐中電燈のケース
５  接触子，中央ピン
５′接触子，弾性接触子
６  ケース
７  接触子
８  タバコ点火器の収容ソケット
【図１】
2009506745.tif 000003
【国際調査報告】
2009506745.tif 000004
2009506745.tif 000005
2009506745.tif 000006
2009506745.tif 000007